(57)【要約】　　　（修正有）【課題】道糸に対するビ−ズの装着をビ−ズの穴へ道糸の先端を通す方法にこだわらずに、糸を切ることなく、道糸のどのような位置からでもビ−ズの脱着を可能とすることである。【解決手段】本発明はビ−ズとなる円筒体の外周へ螺旋状に切り込みを入れることを特徴とする。通常切り込み溝は隙間を設けてよいが、コイルの両端部は糸のカラミ防止のため、密着させておくと良い。また、コイルに弾性がある場合にはすべての溝は密着していても良い。【選択図】　　　　図１
2004073149.tif 000002
【特許請求の範囲】
【請求項１】
ビ−ズとなる円筒体の外周へ螺旋状に切り込みを入れることを特徴としたビ−ズ。
【請求項２】
ビ−ズとなる円筒体の外周へ螺旋状に切り込みを入れたビ−ズにおいて、外周の一部にブラケットを設け釣り具の取付けガイドを兼用することを特徴としたビ−ズ。
【発明の詳細な説明】
【０００１】
【発明が属する技術分野】
本発明は、魚釣り用のビ−ズに関するものである。
【０００２】
【従来の技術】
魚釣り用のビ−ズは「中通し浮き」や「コマセかご」等の前後に用いられ、ひとつの仕掛けに複数セットされることが多い。中通し浮きなどの「浮き」と「浮き止め」の間や浮きと「浮き下の道糸と仕掛けの接続部（結び部）」の間に設けることにより、浮きと道糸の運動障害を緩和する働きがあって広く用いられている。
【０００３】
しかしながらビ−ズの形状はリング状で小さく、その上極めて小さな通し穴のため道糸への装着は決して容易とはいえない。
一方、道糸への装着は通し穴に道糸の先端から通す必要があり、仕掛けをセットする場合浮きの前後にビ−ズが来るよう順序だてた段取りをとる必要がある。
【０００４】
また仕掛けのセット後において、ビ−ズの装着忘れに気づいた場合せっかくの仕掛けを道糸から外し、糸の先端部を作った上で再度最初からやり直す必要もある。
【０００５】
【発明が解決しようとする課題】
したがって発明が解決しようとする課題は、道糸に対するビ−ズの装着をビ−ズの穴へ道糸の先端を通す方法にこだわらずに道糸のどのような位置からでも糸を切ることなくビ−ズの脱着を可能とすることである。
【０００６】
【課題を解決するための手段】
本発明はビ−ズとなる円筒体の外周へ螺旋状に切り込みを入れることを特徴とする。
【０００７】
通常切り込み溝は隙間を設けてよいが、コイルの両端部は糸のカラミ防止のため、密着させておくと良い。また、コイルに弾性がある場合にはすべての溝は密着していても良い。
【０００８】
また、切り込みの外周部は糸の介入がスム−スになるよう面取りをしておくと道糸の損傷を回避することに役立つ。切り込みによって出来るコイル状態の巻数２〜３巻きで良いが、ビ−ズを外付けタイプの浮きなどのガイドとして用いる場合は巻数を増してもよい。
【０００９】
【発明の実施の形態】
このようなビ−ズを道糸に装着するには、道糸の途中部分をビ−ズの切込み溝へ引込み、さらに切込みに沿って螺旋方向に回しこむことで装着が可能となる。逆に道糸からはずす場合は、コイルの両端にある糸をそれぞれのコイル端部の切込みに引込み、切込みに沿って回し寄せることによってビ−ズを道糸から外すことが可能である。
このような操作は道糸を切断する必要はなく、仕掛けが繋がったまゝの状態であってもビ−ズの脱着は可能である。
【００１０】
【実施例】
実施例１
図１は本発明の第１の実施例の投影断面図である。本例は熱可塑性樹脂のポリアセタ−ルを直径３．０ｍｍの素線に押し出しその素線を長いコイル状に巻き上げて作ったものである。
【００１１】
作り方はまず、コイルの内外径を最終寸法より若干小さめに巻き線加工し、次にビ−ズ外径（２）と同じサイズの内径を有する成形型に入れコイルの両端部からプレス圧を加える。コイルの円筒方向を密着変形させ、最後にビ−ズの最終厚み寸法（３）に合わせてカッタ−で切断して得た。
【００１２】
コイルが密着していてもポリアセタ−ルは微小の弾性変形が可能なため、道糸の出し入れに何ら障害となることは生じなかった。ここで成形順序において、前もって変形量も含めた寸法を決めておき、巻き上げ後その寸法で切断し、最後に成形型に入れて密着成形するようにしてもよい。
【００１３】
実施例２
図２へ本発明の第２の実施例の投影図を示す。材料はポリアセタ−ル材を使い射出成形で生計した。切込み溝、通し穴等は移動中子を使い成形した。
【００１４】
中子の関係で切込み溝巾（４）が若干大きく成形されるためその後、熱間プレスでコイルの両端部のみが密着するよう押圧成形した。中央部の切込み溝巾（４）はコイル端部（５）と同様全て密着成形してもよいが、充分な間隙があると道糸との着脱性が良くなることが解ったゝめ、あえてこの部分は密着変形させない形状になった。切込み溝の巾（４）は糸径の４〜５倍にしても着脱上のトラブル（道糸のカラミ込み・・・等）は認められなかった。
【００１５】
射出成形は中子を用いるため、切込み溝のリ−ド角（６）を部分的にゼロに出来ることが解った。叉このようにすると、ビ−ズを手にして道糸（９）を引込むとき、切込み溝の位置・方向がはっきりすることが解った。
【００１６】
実施例３
図３に本発明の第３の実施例の投影図を示す。本例はフックの付いた吊下げタイプの浮き（１２）やエサカゴなどの釣具を道糸に装着するための繋ぎ止めの働きを兼ねたビ−ズに本発明を応用した実施例である。
【００１７】
このようなビ−ズはそれぞれの釣具へあらかじめセットしておくと、必要なとき道糸との脱着が素早く行えるように思われた。製造法は実施例２と同様に射出成形で製造した。
【００１８】
実施例２のビ−ズの側面に係止穴（８）を有したブラケット（７）を一体で成形したもので、図５のように穴（８）を介して釣具を繋ぎ止めるとよい。このように吊り輪のような金具などで両部を連結してもよいが、ブラケット部と釣具を完全に固定しても機能上全く問題は認められなかった。
このようなビ−ズは仕掛けのセット・変更が極めて能率的になり、煩雑な手間が極めて簡潔になることが認められた。
【００１９】
【発明の効果】
以上説明したように本発明のビ−ズを用いることにより、次の様な新しい効果が顕著に認められた。
▲１▼仕掛けを解体しなくてもビ−ズの脱着が可能になる。
▲２▼糸の腹をビ−ズの切込み溝に押し付ける操作で糸通しが可能になり、小さな穴に糸の先端を通す従来の操作から開放される。
【００２０】
▲３▼ビ−ズは細かいので仕掛け解体時の糸繋ぎを解く時紛失しやすいが、解体前に取り外しできるので紛失が防止でき、セッティング或いは解体時の操作性が向上する。
▲４▼道糸に装着すべき他の釣具に前もって係止することにより、これらの釣具も道糸を切らずに脱着が簡単になり、したがって通常の仕掛けのセッティングは必然的に簡素化する。
【図面の簡単な説明】
【図１】本発明の実施例１のビ−ズの投影断面図（実施例１）
【図２】本発明の実施例２のビ−ズの投影図（実施例２）
【図３】本発明の実施例３のビ−ズの投影図（実施例３）
【図４】本発明のビ−ズを道糸に装着した場合の浮き止め、中通し浮き、ビ−ズ等の位置を表す部分説明図
【図５】ビ−ズを繋ぎ止める釣具の外観図
【図６】従来のビ−ズの投影断面図
【符号の説明】
１　　　　ビ−ズ本体
２　　　　ビ−ズ外径
３　　　　ビ−ズの最終厚み
４　　　　切込み溝巾
５　　　　コイル端部
６　　　　リ−ド角
７　　　　ブラケット
８　　　　係止穴
９　　　　道糸
１０　　　浮き止め
１１　　　中通し浮き
１２　　　吊下げ浮き
２０　　　糸通し穴
【図１】
2004073149.tif 000003
【図２】
2004073149.tif 000004
【図３】
2004073149.tif 000005
【図４】
2004073149.tif 000006
【図５】
2004073149.tif 000007
【図６】
2004073149.tif 000008